(57)【要約】【課題】セルサーチの時間がより短い移動通信端末を提供すること。【解決手段】本発明にかかる移動通信端末１は、基地局から受けとった報知情報から、ＰＬＭＮ情報を取得するセルサーチ部１２と、圏外になった際にセルサーチ部１２にＰＬＭＮ情報の取得を指示するとともに、セルサーチ部１２で取得されたＰＬＭＮ情報に基づいて利用可能な基地局を判定するセルサーチ制御部１３と、を備え、セルサーチ部１２は、予め設定された所定数のＰＬＭＮ情報を取得したら、セルサーチ制御部１３に、取得したＰＬＭＮ情報を出力し、セルサーチ制御部１３は、セルサーチ部１２から出力されたＰＬＭＮ情報に基づいて、利用可能な基地局を見つけた場合は、その基地局と圏内復帰処理を開始するものである。【選択図】図２
2013258623.tif 000002
【特許請求の範囲】
【請求項１】
基地局から受けとった報知情報から、ＰＬＭＮ情報を取得するセルサーチ部と、
圏外になった際に前記セルサーチ部にＰＬＭＮ情報の取得を指示するとともに、前記セルサーチ部で取得されたＰＬＭＮ情報に基づいて利用可能な基地局を判定するセルサーチ制御部と、を備え、
前記セルサーチ部は、予め設定された所定数のＰＬＭＮ情報を取得したら、前記セルサーチ制御部に取得したＰＬＭＮ情報を出力し、
前記セルサーチ制御部は、前記セルサーチ部から出力されたＰＬＭＮ情報に基づいて、利用可能な基地局を見つけた場合は、その基地局に対し圏内復帰処理を開始する、移動通信端末。
【請求項２】
前記セルサーチ部は、ＰＬＭＮ情報を出力した後も、ＰＬＭＮ情報の取得を中断せずに継続する、請求項１記載の移動通信端末。
【請求項３】
前記セルサーチ制御部は、前記セルサーチ部が取得したＰＬＭＮ情報に基づいて利用可能な基地局を見つけた場合、前記セルサーチ部に対しＰＬＭＮ情報の取得を停止させる、請求項１又は２記載の移動通信端末。
【請求項４】
前記セルサーチ制御部は、前記セルサーチ部が、取得可能なＰＬＭＮ情報を全て取得するまで、前記セルサーチ部にＰＬＭＮ情報の取得を継続させる、請求項１又は２記載の移動通信端末。
【請求項５】
先に利用可能と判断した基地局よりも通話品質がより良好な基地局を見つけた場合には、良好な基地局に接続先を変更する、請求項４に記載の移動通信端末。
【請求項６】
前記セルサーチ部が取得するＰＬＭＮ情報の所定数は１である、請求項１乃至４のうちいずれか１項記載の移動通信端末。
【請求項７】
圏外になった際に、ＰＬＭＮ情報の取得を行い、
基地局から受けとった報知情報から、予め設定された所定数のＰＬＭＮ情報を取得したら、
取得されたＰＬＭＮ情報に基づいて利用可能な基地局を判定し、
利用可能な基地局がある場合は、当該基地局と圏内復帰処理を開始する、通信端末の制御方法。
【発明の詳細な説明】
【技術分野】
【０００１】
本発明は移動通信端末及びその制御方法に関し、特に公衆移動網に接続する移動通信端末及びその制御方法に関する。
【背景技術】
【０００２】
移動通信端末は固定通信端末と異なり、電波状況等により通信サービスを享受できない状況に陥ることがある。このような場合、移動通信端末は、再度、ネットワークと接続する必要がある。
【０００３】
特許文献１には、マルチモード端末機におけるローミングの制御方法が記載されている。特許文献１に記載の端末機は、第１の無線通信網と第２の無線通信網とに接続可能なマルチモード端末機である。端末機は、第１の無線通信網にローミング中であると判断した場合には、第２の通信網への接続動作を停止するものである。
【先行技術文献】
【特許文献】
【０００４】
【特許文献１】特開２０１１−２５９４３５号公報
【発明の概要】
【発明が解決しようとする課題】
【０００５】
しかしながら、ユーザが通信サービスをより快適に利用するためには、ネットワークへの接続状態、すなわち圏内状態への復帰をより短い時間で行う必要がある。特許文献１に記載の技術では、第１の無線通信網にローミング中である場合に、第２の通信網への接続を停止するものであるため、第１の通信網への接続時間を短縮することはできない。
【０００６】
一般の移動通信端末が、セルに接続する、すなわちＣａｍｐ  Ｏｎする際の動作について、更に説明する。図３は、移動通信端末１０１がセルにＣａｍｐ  Ｏｎする際の動作を示す図である。移動通信端末１０１は、セルサーチ制御部１０２と、セルサーチ制御部１０２により制御されるセルサーチ部１０３と、を有する。
【０００７】
ここでは、移動体通信端末が通信可能なセルが、セルａ、セルｂ及びセルｃであるとし、移動通信端末１０１が圏内状態に移行可能なセル(ここでは「Ｃａｍｐ  Ｏｎ可能なセル」と呼ぶ)がセルｂであるとして説明する。
【０００８】
移動通信端末１０１が圏外を検出１０５した場合（ステップＳ２０１）、セルサーチ制御部１０２は、セルサーチ部１０３に対し、移動通信端末１０１周辺に存在するセルのＰＬＭＮ（Public Land Mobile Network）情報の取得を要求する（ステップＳ２０２）。
【０００９】
ＰＬＭＮ情報所得要求を受け取ったセルサーチ部１０３は、移動通信端末１０１の周辺のセルを検出し、検出した順に、各セルａ〜ｃのＰＬＭＮ情報を含む報知情報を取得(ステップＳ２０３〜Ｓ２０５)する。ここでは検出の順番をセルａ、セルｂ、セルｃとする。
【００１０】
セルサーチ部１０３は、全てのセルのＰＬＭＮ情報を取得後（ステップＳ２０６）、ＰＬＭＮ情報の取得が完了したことを、セルサーチ制御部１０２に通知し、ＰＬＭＮ情報をセルサーチ制御部１０２に出力する（ステップＳ２０７）。
【００１１】
セルサーチ制御部１０２は、受け取ったＰＬＭＮ情報から、Ｃａｍｐ  Ｏｎ可能であるか否か判定（ステップＳ２０８）し、当該ＰＬＭＮ情報に対応するセルに対して圏内復帰処理を開始する（ステップＳ２０９）。
【００１２】
一般の移動体通信端末がセルにＣａｍｐ  Ｏｎする場合、セルサーチ部が検出可能な、全てのセルのＰＬＭＮ情報を取得した後、当該ＰＬＭＮ情報を用いて、セルがＣａｍｐ  Ｏｎ可能であるか否か判定する。つまり、全てのセルのＰＬＭＮ情報を取得するまで、セルの判定が行われない。よって、セルサーチに時間がかかるという問題があった。
【００１３】
本発明は、このような問題を解決するためになされたものであり、圏内状態への復帰時間がより短い移動通信端末を提供することを目的とする。
【課題を解決するための手段】
【００１４】
本発明にかかる移動通信端末は、基地局から受けとった報知情報から、ＰＬＭＮ情報を取得するセルサーチ部と、圏外になった際にセルサーチ部にＰＬＭＮ情報の取得を指示するとともに、セルサーチ部で取得されたＰＬＭＮ情報に基づいて利用可能な基地局を判定するセルサーチ制御部と、を備え、セルサーチ部は、予め設定された所定数のＰＬＭＮ情報を取得したら、セルサーチ制御部に取得したＰＬＭＮ情報を出力し、セルサーチ制御部は、セルサーチ部から出力されたＰＬＭＮ情報に基づいて、利用可能な基地局を見つけた場合は、その基地局に対し圏内復帰処理を開始するものである。
【００１５】
本発明にかかる移動通信端末の制御方法は、圏外になった際に、ＰＬＭＮ情報の取得を行い、基地局から受けとった報知情報から、予め設定された所定数のＰＬＭＮ情報を取得したら、取得されたＰＬＭＮ情報に基づいて利用可能な基地局を判定し、利用可能な基地局がある場合は、当該基地局と圏内復帰処理を開始するものである。
【発明の効果】
【００１６】
本発明により、セルサーチの時間がより短い移動通信端末を提供することができる。
【図面の簡単な説明】
【００１７】
【図１】実施の形態１にかかる移動通信端末を示す図である。
【図２】実施の形態１にかかる移動通信端末の動作を示す図である。
【図３】一般の通信端末の動作を示す図である。
【発明を実施するための形態】
【００１８】
以下、図面を参照して本発明の実施の形態について説明する。図１は、本実施の形態にかかる移動通信端末１を示す図である。移動通信端末１は、基地局３１〜３３のいずれか１以上と通信する。
【００１９】
移動通信端末１は、アンテナ１０と、無線受信部１１と、セルサーチ部１２と、セルサーチ制御部１３と、記憶部としてのＰＬＭＮ情報記憶部１４と、を有する。移動通信端末１は、具体的には携帯電話端末、タブレット端末等である。移動通信端末１は、他にも出力部としてのディスプレイや、内部の演算処理を行う処理部等を有するが、ここでは説明を省略する。
【００２０】
基地局３１〜３３は、移動通信端末１と通信を行い、ＰＬＭＮ番号を含む報知情報を送信している。アンテナ１０は、基地局３１〜３３と電波の送受信を行う。無線受信部１１は、アンテナ１０が受信した電波を復調し、移動通信端末１が出力する信号を電波に変換する。
【００２１】
ＰＬＭＮ情報記憶部１４は、移動通信端末１が通信可能な基地局のＰＬＭＮ番号を記憶している。
【００２２】
セルサーチ部１２は、無線受信部１１が復調した、基地局３１〜３３がそれぞれ出力した信号をスキャンする。セルサーチ部１２は、基地局のエリア情報等を含む報知情報を取得する。報知情報には、それぞれの基地局のＰＬＭＮ番号が含まれている。セルサーチ部１２は、予め設定された所定数のＰＬＭＮ番号を取得する度に、取得したＰＬＭＮ番号をセルサーチ制御部１３に出力する。典型的には、１つのＰＬＭＮ番号を取得する度に、セルサーチ制御部１３に出力する。
【００２３】
ここで、ＰＬＭＮ番号は、３ＧＰＰ(Third Generation Partnership Project)規格において、モバイルカントリーコード（MCC:Mobile Country Code）、すなわち国番号と、モバイルカントリーネットワークコード（MNC:Mobile Country Network Code）、すなわち事業者番号とを合わせた番号である。ＰＬＭＮ番号を取得することにより、当該ＰＬＭＮ番号を出力した基地局の事業者が判別でき、当該基地局を利用可能か否か判定できる。
【００２４】
セルサーチ制御部１３は、セルサーチ部１２を制御し、セルサーチ部１２に、ＰＬＭＮ番号を取得させる。セルサーチ制御部１３は、セルサーチ部１２からＰＬＭＮ番号を受け取るたびに、ＰＬＭＮ情報記憶部１４の記憶しているＰＬＭＮ番号と、セルサーチ部１２が取得したＰＬＭＮ番号とを比較する。
【００２５】
セルサーチ部１２が取得したＰＬＭＮ番号と、ＰＬＭＮ情報記憶部１４が記憶しているＰＬＭＮ番号とが一致する場合、取得したＰＬＭＮ番号に対応する基地局が通信に適切な基地局であると判断する。そして、移動通信端末１は、適切と判断した基地局と通信を確立する。
【００２６】
次に、本実施の形態にかかる移動通信端末１の動作を説明する。図２は、本実施の形態にかかる移動通信端末１の動作を示す図である。ここでは、セルサーチ部１２は、基地局３１から３２、３３の順にＰＬＭＮ番号を取得するものとし、基地局３２が、移動通信端末１が利用可能な基地局であるとして説明する。また、セルサーチ部１２は、ＰＬＭＮ番号を１つ取得する度に、セルサーチ制御部１３に出力するものとして説明する。また、セルサーチ制御部１３は、ＰＬＭＮ番号に基づいて利用可能な基地局が見つかった場合には、セルサーチ部１２のＰＬＭＮ情報の取得処理を停止させるものとする。
【００２７】
まず、移動通信端末１は、圏外を検出する（ステップＳ１０１）。セルサーチ制御部１３は、圏外を検出すると、セルサーチ部１２に、報知情報取得要求を出力する（ステップＳ１０２）。
【００２８】
報知情報取得要求が出力されると、セルサーチ部１２は、報知情報の取得を開始する。ここでは、初めに基地局３１の報知情報を取得するものとして説明する。セルサーチ部１２は、無線受信部１１が復調した信号をスキャンして、基地局３１の、ＰＬＭＮ番号を含む報知情報を取得して、セルサーチ制御部１３に出力する（ステップＳ１０３）。ここで、セルサーチ部１２は、セルサーチ制御部１３にＰＬＭＮ番号を出力してからも、ＰＬＭＮ番号の取得処理を継続する。
【００２９】
セルサーチ制御部１３は、セルサーチ部１２からＰＬＭＮ番号を受け取り、ＰＬＭＮ情報記憶部１４の記憶しているＰＬＭＮ番号と比較する。そして、取得したＰＬＭＮ番号に対応する基地局が、移動通信端末１の利用可能な基地局であるか否か判定する（ステップＳ１０４）。
【００３０】
セルサーチ部１２は、セルサーチ制御部１３に、基地局３１のＰＬＭＮ番号を出力すると、別の基地局の報知情報の取得を開始する。ここでは、基地局３２の報知情報を取得するものとする。セルサーチ部１２は、無線受信部１１が復調した信号をスキャンして、基地局３２の、ＰＬＭＮ番号を含む報知情報を取得する（ステップＳ１０５）。
【００３１】
セルサーチ部１２は、取得した基地局３２のＰＬＭＮ番号をセルサーチ制御部１３に出力する（ステップＳ１０６）。セルサーチ制御部１３は、セルサーチ部からＰＬＭＮ番号を受け取り、ＰＬＭＮ情報記憶部１４の記憶しているＰＬＭＮ番号と比較する。そして、取得したＰＬＭＮ番号に対応する基地局が、移動通信端末１の利用可能な基地局であるか否か判定する（ステップＳ１０７）。基地局３２は、移動通信端末１の利用可能な基地局であるため、セルサーチ部１２が取得したＰＬＭＮ番号は、ＰＬＭＮ情報記憶部１４の記憶するＰＬＭＮ番号と一致する。
【００３２】
セルサーチ制御部１３は、セルサーチ部１２が取得したＰＬＭＮ番号と、ＰＬＭＮ情報記憶部１４が記憶するＰＬＭＮ番号との一致を判断する（ステップＳ１０８）。そして、セルサーチ制御部１３は、セルサーチ部１２にＰＬＭＮ番号取得停止を要求する（ステップＳ１０９）。
【００３３】
セルサーチ部１２は、セルサーチ制御部１３からＰＬＭＮ番号取得停止要求を受け取ると、ＰＬＭＮ番号の取得を停止する（ステップＳ１１０）。そして、セルサーチ部１２は、ＰＬＭＮ取得処理停止が完了したら、取得停止完了通知をセルサーチ制御部１３に出力する（ステップＳ１１１）。
【００３４】
セルサーチ制御部１３は、セルサーチ部１２から取得停止完了通知を受け取ると、基地局３２と通信して、圏内復帰処理を開始する（ステップＳ１１２）。
【００３５】
本実施の形態にかかる移動通信端末１では、圏外状態にある移動通信端末１が圏内復帰可能な環境にある場合、セルサーチ部１２が１つのセルの報知情報を取得する度に、セルサーチ制御部１３が報知情報に含まれるＰＬＭＮ情報から、当該報知情報に対応する基地局の判定を行う。そして、セルサーチ制御部１３が圏内状態復帰に必要な報知情報を取得したと判断した際には、セルサーチ部１２の報知情報取得処理を停止する。
【００３６】
そのため、全ての基地局の情報を取得できるのを待ってから利用可能な基地局を判断するような従来技術に比べて、本実施形態によれば、移動通信端末と基地局との通信を確立する時間をより短くすることが可能である。
【００３７】
なお、本実施の形態においては、セルサーチ部１２が取得したＰＬＭＮ情報に対応する基地局が利用可能であると判定された後も、セルサーチ制御部１３は、セルサーチ部１２に、ＰＬＭＮ情報の取得を継続させるようにしてもよい。そして、先に利用可能と判断した基地局よりも通信品質がより良好な基地局を見つけた場合には、良好な基地局に接続先を変更するようにしてもよい。これにより、セルサーチの時間を短縮しつつ、より通信品質が高い基地局を見つけることが可能になる。また、本実施の形態にかかるセルサーチの方法は、例えば、移動通信端末の電源がオフからオンになる際や、Ｕｓｅｒ Ｒｅｓｅｌｅｃｔｉｏｎの際等に使用することが可能である。
【００３８】
なお、本発明は上記実施の形態に限られたものではなく、趣旨を逸脱しない範囲で適宜変更することが可能である。
【符号の説明】
【００３９】
１  移動通信端末
１０  アンテナ
１１  無線受信部
１２  セルサーチ部
１３  セルサーチ制御部
１４  ＰＬＭＮ情報記憶部
３１  基地局
３２  基地局
３３  基地局
１０１  移動通信端末
１０２  セルサーチ制御部
１０３  セルサーチ部
【図１】
2013258623.tif 000003
【図２】
2013258623.tif 000004
【図３】
2013258623.tif 000005